(57)【要約】【課題】  仮設枠組における建枠の横地に架設して足場を構成する場合に、長手方向に併設する隣り合う足場布板との間の隙間を無くして工具が落下するのを防止し、足場布板の接合端部が上方に突出しない構成として作業者の安全な歩行を確保し、さらに接合端部を補強して架設した場合のぐらつきを無くすことができる足場布板を提供する。【解決手段】  足場布板１の接合端部２を踏み板面３に沿って凹凸状に延出し、これらのうち凸状部分を裏側に折り曲げて仮設建枠の横地９に架設するための架設爪部４を形成し、凹状部分を長手方向に並設される隣の足場布板１の架設爪部４を収容する爪収容凹部５として形成する。【選択図】  図１
2005068934.tif 000002
【特許請求の範囲】
【請求項１】
足場布板の接合端部を踏み板面に沿って凹凸状に延出し、これらのうち凸状部分を裏側に折り曲げて仮設建枠の横地に架設するための架設爪部を形成し、凹状部分を長手方向に並設される隣の足場布板の架設爪部を収容する爪収容凹部として形成してなることを特徴とする足場布板。
【請求項２】
請求項１において、架設爪部と爪収容凹部とは、足場布板の幅方向に複数個が交互に繰り返されるように形成され、反対側の接合端部とは踏み板面の中心点対称の位置に形成されていることを特徴とする足場布板。
【請求項３】
請求項２において、架設爪部と爪収容凹部とは、大小１対の組み合わせで形成され、幅方向外側には幅の小さい架設爪部および爪収容凹部が配置され、幅方向中央側には幅の大きい架設爪部および爪収容凹部が配置されていることを特徴とする足場布板。
【請求項４】
請求項１から請求項３のいずれかにおいて、踏み板面の接合端部近傍から架設爪部および爪収容凹部に至るまで長手方向に沿って複数本の強化プレス溝が形成されていることを特徴とする足場布板。
【発明の詳細な説明】
【技術分野】
【０００１】
本発明は、仮設枠組を構成する建枠の横地に架設されて作業者が歩行する足場布板に関するものである。
【背景技術】
【０００２】
従来より、住宅等の建築物の工事現場においては、建築物の周囲または必要な箇所に、所定の間隔を隔てて建枠（建地材ともいう）を立設すると共に、この建枠に横地（足場布板受け部材ともいう）を取り付け、この横地上に足場布板を架設している。このように構成された仮設足場は、作業員が高い所でも安全に歩行できるとともに、建設工事等を効率的に作業できるというメリットがある。
【０００３】
前述した足場布板として、例えば、特開２００３−６４８６６号公報に記載のものが知られている（特許文献１）。この発明は、足場布板の接合端部につかみ金具を取り付け、このつかみ金具に横長のボルト挿通孔が形成されており、このボルト挿通孔の位置をずらしてボルト固定することで、突設長さを調節するようになっている。これにより、メートルサイズとインチサイズの足場の両方に適応できるとされている。
【０００４】
【特許文献１】特開２００３−６４８６６号公報
【発明の開示】
【発明が解決しようとする課題】
【０００５】
しかしながら、特開２００３−６４８６６号公報に記載された発明においては、足場布板の接合端部におけるつかみ金具が上方に突出しているため、作業者がつまずいてしまって危険である。また、足場布板の長手方向に並設される他の足場布板間には隙間が存在しており、ここに足が引っ掛かったり、工具を落として下方の作業員に怪我をさせてしまうこともあった。さらにつかみ金具には作業者の重量等による応力が集中しやすいため破損したり、あるいはガタが生じやすいという問題もあった。
【０００６】
本発明は、このような問題点を解決するためになされたものであって、仮設枠組における建枠の横地に架設して足場を構成する場合に、長手方向に並設する隣り合う足場布板との間の隙間を無くして工具が落下するのを防止し、足場布板の接合端部が上方に突出しない構成として作業者の安全な歩行を確保し、さらに接合端部を補強して架設した場合のぐらつきを無くすことができる足場布板を提供することを目的としている。
【課題を解決するための手段】
【０００７】
本発明に係る足場布板の特徴は、足場布板の接合端部を踏み板面に沿って凹凸状に延出し、これらのうち凸状部分を裏側に折り曲げて仮設建枠の横地に架設するための架設爪部を形成し、凹状部分を長手方向に並設される隣の足場布板の架設爪部を収容する爪収容凹部として形成してなる点にある。
【０００８】
また、本発明において、架設爪部と爪収容凹部とは、足場布板の幅方向に複数個が交互に繰り返されるように形成され、反対側の接合端部とは踏み板面の中心点対称の位置に形成されていることが好ましい。
【０００９】
さらに、本発明において、架設爪部と爪収容凹部とは、大小１対の組み合わせで形成され、幅方向外側には幅の小さい架設爪部および爪収容凹部が配置され、幅方向中央側には幅の大きい架設爪部および爪収容凹部が配置されていることが好ましい。
【００１０】
また、本発明において、踏み板面の接合端部近傍から架設爪部および爪収容凹部に至るまで長手方向に沿って複数本の強化プレス溝が形成されていることが好ましい。
【発明の効果】
【００１１】
本発明によれば、仮設枠組における建枠の横地に架設して足場を構成する場合に、長手方向に並設する隣り合う足場布板との間の隙間を無くして工具が落下するのを防止し、足場布板の接合端部が上方に突出しない構成として作業者の安全な歩行を確保し、さらに接合端部を補強して架設した場合のぐらつきを無くすことができる。
【発明を実施するための最良の形態】
【００１２】
以下、本発明に係る足場布板１の好適な一実施形態について図面を用いて説明する。図１から図５に示すように、本実施形態の足場布板１は、長手方向の両端部にある接合端部２を踏み板面３に沿って真っ直ぐに延出し、その延出した先端部分が凹凸状となるように形成する。これら凹凸状の部分のうち凸状部分を裏側に折り曲げて仮設建枠の横地９に架設するための架設爪部４を形成する。また、凹状部分は長手方向に並設される隣の足場布板１の架設爪部４を収容する爪収容凹部５として形成する。
【００１３】
これら架設爪部４と爪収容凹部５とは、足場布板１の幅方向に複数個が交互に繰り返されるように形成され、反対側の接合端部２とは踏み板面３の中心点対称の位置に形成されている。幅方向に複数個形成することにより、強度バランスを保つことになる。中心点対称に形成することにより、架設した場合のバランスを保つことになる。
【００１４】
さらに、図１，図２および図５に示すように、本実施形態では、架設爪部４と爪収容凹部５とは、大小１対で組み合わせられており、幅方向外側には幅の小さい架設爪部４および爪収容凹部５がそれぞれ配置され、幅方向中央側には幅の大きい架設爪部４および爪収容凹部５が配置されている。これは、より中央側を強度が高く、架設バランスも保たせることによりガタつきが生じにくくなり、歩行の安全を確保することができる。架設爪部４と爪収容凹部５の数を多くし過ぎると、製造が難しくなるしバランスを保たせる設計を図らねばならなくなる。また、図１に示すように、本実施形態の足場布板１を建枠の横地９に架設させた場合に、横地９との間に隙間がほとんど形成されないため、ここから工具などを落としてしまうことはない。
【００１５】
また、図１乃至図３および図５に示すように、踏み板面３の接合端部２近傍から架設爪部４および爪収容凹部５に至るまで長手方向に沿って複数本の強化プレス溝６が形成されている。このような絞り圧縮加工を施すことにより加工がし易く、強度を高められる。さらに踏み板面３には多数の滑り止め突起７が形成されており、作業者が滑らないように工夫されている。また、図５に示すように、踏み板面３の裏面には、幅方向両端部にわたって補強板８が溶接されている。
【００１６】
このような構成からなる本実施形態を架設枠組に適用する場合、建枠を配置してその横地９に足場布板１の架設爪部４を引っ掛けて架設し、爪収容凹部５に長手方向に並設された隣の足場布板１の架設爪部４を収容するように架設する。足場布板１の中央側には、より幅の大きな架設爪部４が架けられるため、強度および架設バランスがよい。また、隣り合う足場布板１との間に隙間がほとんど形成されず、つまずいたり、工具を落下させることもない。しかも踏み板面３から接合端部２にかけて水平面を確保できるため、作業者が安全であり安心して作業を行うことができる。架設爪部４や爪収容凹部５には、応力が集中するが強化プレス溝６が形成されているため破損し難い。
【００１７】
以上のように本実施形態によれば、仮設枠組における建枠の横地９に架設して足場を構成する場合に、一の架設爪部４を隣の他の爪収容凹部５に収容するため、長手方向に並設する隣り合う足場布板１との間の隙間を無くして工具が落下するのを防止できる。また、架設爪部４は踏み板面３と同一面上に形成されているため、作業者がつまずくこともない。しかも架設爪部４および爪収容凹部５には、強化プレス溝６が形成されているため強度が高くガタつきを効果的に防止できる。
【００１８】
また、各架設爪部４と爪収容凹部５との数や配置位置、大きさは強度および架設バランスが考慮されており、安全性が高い。作業者は安心して作業をすることができる。
【００１９】
なお、本発明に係る足場布板１は、前述した実施例に限定されるものではなく、適宜変更することができる。例えば、足場布板１の長手方向は架設枠組に応じて適宜長さを変更してよいし、コーナー部には踏み板面３を適当な角度に曲げて形成してもよい。
【図面の簡単な説明】
【００２０】
【図１】本発明に係る足場布板の一実施形態を示しており建枠の横地に架設した状態を示す斜視図である。
【図２】本実施形態の足場布板を示す平面図である。
【図３】図２の正面図である。
【図４】図２の右側面図である。
【図５】図２の底面図である。
【符号の説明】
【００２１】
１  足場布板
２  接合端部
３  踏み板面
４  架設爪部
５  爪収容凹部
６  強化プレス溝
７  滑り止め突起
８  補強板
９  横地
【図１】
2005068934.tif 000003
【図２】
2005068934.tif 000004
【図３】
2005068934.tif 000005
【図４】
2005068934.tif 000006
【図５】
2005068934.tif 000007